(57)【要約】【課題】塊の形成による選別性能の低下を防止できる風力選別機を提供する。【解決手段】風力により混合物Ｍを選別する風力選別機において、回転自在に支持された本体回転ドラム１と、この回転ドラム１の長手方向一方側に設けた投入ホッパ３と、空気流を生起してホッパ３に投人され本体回転ドラム１内を移動する混合物Ｍに空気流を吹き付けるように本体回転ドラム１の長手方向他方側に設けたブロア４と、本体回転ドラム１の長手方向他方側へ移動する混合物Ｍを捕捉する捕捉手段を形成するように設けた流路形成ブロック２３ａ〜ｃと、この捕捉した混合物Ｍを本体回転ドラム１の回転に伴って掻き上げるように本体回転ドラム１内に設けた掻き上げ板２４ａ〜ｃとを備える。【選択図】　図１
2004033888.tif 000002
【特許請求の範囲】
【請求項１】
風力により混合物を選別する風力選別機において、
回転自在に支持された筒状部材と、
この筒状部材の長手方向一方側に設けた投入口と、
空気流を生起して前記投入口に投人され前記筒状部材内を移動する混合物に空気流を吹き付けるように前記筒状部材の長手方向他方側に設けた送風機と、
前記筒状部材の長手方向他方側へ移動する混合物を捕捉するように前記筒状部材内に設けた捕捉手段と、
この捕捉手段で捕捉した混合物を前記筒状部材の回転に伴って掻き上げるように前記筒状部材内に設けた掻き上げ手段とを備えたことを特徴とする風力選別機。
【請求項２】
請求項１記載の風力選別機において、
前記捕捉手段は、前記筒状部材内に設けた流路形成ブロックにより形成された段付き部であることを特徴とする風力選別機。
【請求項３】
請求項１記載の風力選別機において、
前記捕捉手段は、前記筒状部材の径方向寸法を短くした絞り部により形成きれた段付き部であることを特徴とする風力選別機。
【請求項４】
請求項１記載の風力選別機において、
前記捕捉手段は、前記筒状部材の回転軸に直交する向きで前記筒状部材内周に取り付けた捕捉板であることを特徴とする風力選別機。
【請求項５】
請求項１乃至４のいずれかに記載の風力選別機において、
前記筒状部材は前記送風機側が低くなるように傾斜して設けられ、この傾斜角度を変更可能なように前記筒状部材を支持する支持手段を備えることを特徴とする風力選別機。
【請求項６】
請求項５記載の風力選別機において、
前記投入口は、前記筒状部材に対して傾動可能に設けたホッパであることを特徴とする風力選別機。
【請求項７】
請求項１乃至６のいずれかに記載の風力選別機において、
前記筒状部材を回転駆動する駆動手段を備えることを特徴とする風力選別機。
【請求項８】
風力により混合物を選別する風力選別機において、
内部に大径部と小径部とを有し、回転自在に支持された筒状部材と、
この筒状部材の長手方向一方側に設けた投入口と、
空気流を生起して前記投人口に投入され前記筒状部材内を移動する混合物に空気流を吹き付けるように前記筒状部材の長手方向他方側に設けた送風機と、
前記筒状部材の回転に伴って混合物を掻き上げるように前記筒状部材の大径部内周面に設けた掻き上げ手段と
を備えたことを特徴とする風力選別機。
【発明の詳細な説明】
【０００１】
【発明の属する技術分野】
本発明は、混合物中に含まれる様々な物を、その重量に応じて選別する風力選別機に関するものである。
【０００２】
【従来の技術】
例えば、廃棄物（ごみ）は、大きく分けて一般家庭や小売店、レストランから出される一般廃棄物と、事業活動に伴って生じた産業廃棄物に分けられる。中でも産業廃棄物は、事業活動に伴って生じることから特性の性状のものが大量に発生する場合が多く、例えば、建築物の解体現場では、通常、例えば石、コンクリート塊、木材片、ガラス片、壁土、新建材、金具等が、細かいばらものとなった解体屑またはミンチと称するそれらの混合物が発生し、これが粗大廃棄物と混在した混合廃棄物として発生し、搬送される場合が多い。この混合廃棄物中には、上記以外にも、廃プラスチック類、ゴムくず、がれき類等が含まれる場合も多い。
【０００３】
昨今、建設副産物の再利用の気運の高まりから、このような混合廃棄物を発生させないために、分別解体の推奨や分別搬出の義務付けがなされようとしているが、その発生を皆無にすることは難しいのが現状である。
【０００４】
そこで、このような混合廃棄物の分別を行うために、例えば、特開平６−２３３２５号公報に記載のように、風力を用いて廃棄物の選別を行う風力選別機が従来より知られている。
【０００５】
この従来技術では、輸送管より筒状部材（回転ドラム）へ投入された混合廃棄物に空気供給管で選別用の空気流を衝突させ、混合廃棄物中の軽量物は空気流に載せて筒状部材の後端側開口から排出し、重量物は筒状部材内周面に設けた送り板部材によって空気流とは逆方向に搬送し筒状部材の前端側開口から排出するようになっている。
【０００６】
【発明が解決しようとする課題】
しかしながら、上記従来技術には以下の課題が存在する。
【０００７】
すなわち、混合廃棄物中において石、がれき等の重量物に、ビニールシート、紐状あるいはフィルム状の軽量物が強固に絡み合って塊を形成している場合等があり、このような場合には、空気流だけでは塊をほぐすことができないため分別されずに重量物と一緒になり、選別性能が低下する可能性がある。
【０００８】
また、従来より廃棄物のうち再利用困難なものは無害化や安定化等の処理を行った後最終処分場に埋設処分されるているが、近年、廃棄物の増加に伴ってこれを埋設する最終処分場が不足しているため、処分場内に投棄された廃棄物を処分場から取出して減容処理し最終処分場の延命化を図ることが必要になりつつある。そこで、このような一旦投棄埋設された後に掘り出した混合廃棄物についても今後は上記風力選別の対象となりうるが、この場合、特に、廃棄物が湿気を帯びまた強く圧密された状態となっているため、軽量物が重量物へ付着して塊を形成しやすく、上記の問題が顕著となる可能性がある。
【０００９】
本発明の目的は、塊の形成による選別性能の低下を防止できる風力選別機を提供することにある。
【００１０】
【課題を解決するための手段】
（１）上記目的を達成するために、本発明は、風力により混合物を選別する風力選別機において、回転自在に支持された筒状部材と、この筒状部材の長手方向一方側に設けた投入口と、空気流を生起して前記投入口に投人され前記筒状部材内を移動する混合物に空気流を吹き付けるように前記筒状部材の長手方向他方側に設けた送風機と、前記筒状部材の長手方向他方側へ移動する混合物を捕捉するように前記筒状部材内に設けた捕捉手段と、この捕捉手段で捕捉した混合物を前記筒状部材の回転に伴って掻き上げるように前記筒状部材内に設けた掻き上げ手段とを備える。
【００１１】
本発明においては、重量物と軽量物とが混在した混合物が筒状部材の長手方向一方側に設けた投入口を介し筒状部材に投入されると、送風機からこの筒状部材内に空気流を供給し、軽量物はこの空気流に載って選別し搬送される。
【００１２】
一方、重量物は、空気流には載らず、例えば筒状部材が支持手段で傾斜支持されることで筒状部材内をその長手方向他方側にころがるようにして流れ、最終的には例えば筒状部材の端部から排出される。このとき、筒状部材内には捕捉手段が設けられており、例えば段付き部、捕捉板等によって上記長手方向他方側に流れる重量物を捕捉し一旦滞留させる。そして、この状態で、筒状部材を回転させると、捕捉手段で捕捉された混合物は掻き上げ手段によってその回転方向に掻き上げて同伴され、高さ方向に大きく持ち上げられた後に重力で再び落下して解きほぐされる。
【００１３】
これにより、例えば、混合物中において石、がれき等の重量物に、ビニールシート、紐状あるいはフィルム状の軽量物が強固に絡み合っていたり湿気を帯びていたり等によって、軽量物が重量物に付着し塊を形成している場合であっても、その塊を確実に解きほぐし、軽量物を重量物から分離することができる。この結果、選別性能の低下を防止し、高い精度で効率よく選別を行うことができる。
【００１４】
（２）上記（１）において、好ましくは、前記捕捉手段は、前記筒状部材内に設けた流路形成ブロックにより形成された段付き部である。
【００１５】
（３）上記（１）において、また好ましくは、前記捕捉手段は、前記筒状部材の径方向寸法を短くした絞り部により形成きれた段付き部である。
【００１６】
上記（２）又は（３）においては、上記（１）で説明した作用に加え、流路形成ブロックの内周側小径部又は絞り部において断面積の縮小（縮径）に伴って空気流の流速が増大するため、ここを通過するときにその速い空気流によって塊状となったものから軽量物を剥がし取り、分離促進することができる。また大きな重量物が通過するときには、実質的な空気流通過断面積が減少してさらに空気流速が増大し、さらに分離促進することができる。
【００１７】
（４）上記（１）において、また好ましくは、前記捕捉手段は、前記筒状部材の回転軸に直交する向きで前記筒状部材内周に取り付けた捕捉板である。
【００１８】
（５）上記（１）乃至（４）のいずれかにおいて、また好ましくは、前記筒状部材は前記送風機側が低くなるように傾斜して設けられ、この傾斜角度を変更可能なように前記筒状部材を支持する支持手段を備える。
【００１９】
これにより、傾けた筒状部材の上方側から混合物を投入すると共に下方側から送風機で空気流を供給することで、重量物は筒状部材の下方側端部から、軽量物は筒状部材の上方側端部から、それぞれ容易に分別して排出することができる。
【００２０】
（６）上記（５）において、さらに好ましくは、前記投入口は、前記筒状部材に対して傾動可能に設けたホッパである。
【００２１】
これにより、例えば筒状部材の傾斜角度がどのような場合であっても、ホッパを略水平に保ち、鉛直方向からの投入が可能となる。
【００２２】
（７）上記（１）乃至（６）のいずれかにおいて、また好ましくは、前記筒状部材を回転駆動する駆動手段を備える。
【００２３】
（８）上記目的を達成するために、また本発明は、風力により混合物を選別する風力選別機において、内部に大径部と小径部とを有し、回転自在に支持された筒状部材と、この筒状部材の長手方向一方側に設けた投入口と、空気流を生起して前記投人口に投入され前記筒状部材内を移動する混合物に空気流を吹き付けるように前記筒状部材の長手方向他方側に設けた送風機と、前記筒状部材の回転に伴って混合物を掻き上げるように前記筒状部材の大径部内周面に設けた掻き上げ手段とを備える。
【００２４】
【発明の実施の形態】
以下、本発明の風力選別機の一実施の形態を図面を参照しつつ説明する。
【００２５】
図１は、本発明の風力選別機の一実施の形態の全体構造を表す側断面図である。この図１において、この風力選別機は、例えば前述の最終処分場に設けられており、１は筒状部材としての本体回転ドラム、２は本体回転ドラム１を回転駆動する駆動手段としての本体回転ドラム駆動モータ、３は投入された混合廃棄物を受け入れる投入口として本体回転ドラムの長手方向一方側（図１中右側）に設けた投入ホッパ、４はブロア（送風機）、５は本体支持フレーム、６は本体側ベースフレーム、７はフィルタ装置、８はフィルタ側ベースフレーム、９は軽量物分離チャンバである。
【００２６】
本体支持フレーム５は、ピン１０を介して本体側ベースフレーム６に対して回動可能（傾動可能）に接続されている。１１はその傾動動作用のシリンダ（例えば電動シリンダ、油圧シリンダ等）であり、一端側（図１中下側）がピン１２を介し本体側ベースフレーム６に設けたブラケット１３に回動自在に接続されており、他端側（図１中上側）がピン１４を介し本体支持フレーム５に設けたブラケット１５に回動自在に接続されている。このような構造により、シリンダ１１の伸縮動作によって本体回転ドラム１をピン１０を回動支点として所望の傾斜角度（＝任意の傾斜状態、但し水平状態を含む）に保持可能となっている。なお、シリンダ１１を用いず、チェーンブロック等の別途の支持手段で所望の傾斜角度に支持するようにしてもよい。
【００２７】
本体回転ドラム１は、詳細な支持構造の図示及び説明を省略するが、回転ドラム支持ローラ１６ａ，１６ｂを介して本体支持フレーム６に対し回転自在に支持されており、図１中右側の回転ドラム支持ローラ１６ｂに上述の回転ドラム駆動モータ（電動モータ、又は油圧モータ、あるいはエンジン直結でもよい。また可変速として回転速度を自在に調節できるようにしてもよい）２の駆動力が伝達されることにより、本体回転ドラム１はその軸心線（図示省略）まわりに回転駆動されるようになっている。
【００２８】
図２は、本発明の風力選別装置の一実施の形態を構成する本体回転ドラム１の詳細構造を表す水平断面図である。この図２及び前述の図１において、１７は外郭を構成するドラム本体、１８は長手方向一方側（図１中左側）端部に設けた重量物排出口、１９は長手方向他方側（図１中右側）端部に設けた廃棄物導入口（軽量物排出口を兼ねる）、２０は長手方向他方側において廃棄物導入口１９よりも長手方向一方側に設けた中間物排出口、２１はこの中間物排出口２０に設けたスクリーン、２２はスクリーンカバーである。
【００２９】
また、２３ａ，２３ｂ，２３ｃはこの順序で中間物排出口２０から重量物排出口１８側に間隔をおいてそれぞれ配列した流路形成ブロックであり、それぞれ略円環状形状を備え、その外周面がドラム本体１７の内周面に密着するように固定されている。２４ａ，２４ｂ，２４ｃはそれぞれ、流路形成ブロック２３ａの廃棄物導入口側、流路形成ブロック２３ａ，２３ｂの間、流路形成ブロック２３ｂ，２３ｃの間に設けた掻き上げ板であり、各掻き上げ板２４はそれぞれドラム本体１７内周面の円周方向複数箇所（例えば４箇所、但し数及びピッチは導入する最大廃棄物大きさを考慮し、廃棄物が掻き上げ板２４，２４間に挟み込まれ固まって不動とならないようにする）に所定ピッチで配列固定されている。このような構造によって、本体回転ドラム１内の流路には、流路形成ブロック２３ａ，２３ｂ，２３ｃの内周側には他の部分よりも流路断面積が小さな小径部２５Ａ，２５Ｂ，２５Ｃがそれぞれ形成されるとともに、小径部２５Ａと廃棄物導入口１９との間、小径部２５Ａ，２５Ｂの間、小径部２５Ｂ，２５Ｃの間、小径部２５Ｃと重量物排出口１８との間に、大径部２６Ａ，２６Ｂ，２６Ｃ，２６Ｄがそれぞれ形成される。言い換えれば、これら小径部２５Ａ，２５Ｂ，２５Ｃ及び大径部２６Ａ，２６Ｂ，２６Ｃ，２６Ｄは、ドラム本体１７の両端部を除く長手方向中間部に、大径部２６Ａ、小径部２５Ａ、大径部２６Ｂ、小径部２５Ｂ、大径部２６Ｃ、小径部２５Ｃ、大径部２６Ｄの順で交互に配置されている。
【００３０】
なお、後述するように、廃棄物導入口１９から導入された混合廃棄物（特に重量物）はドラム本体１７内をその長手方向に図１中左側（言い換えれば重量物排出口１８側）に流れ、このとき、各流路形成ブロック２３ａ，２３ｂ，２３ｃの廃棄物導入口１９側（図１中右側）壁面２３ａＡ，２３ｂＡ，２３ｃＡは、その流れる混合廃棄物を対応する小径部２５Ａ，２５Ｂ，２５Ｃの手前で捕捉する段付き部（捕捉手段）として機能する（各流路形成ブロック２３ａ，２３ｂ，２３ｃにより段付き部が形成される）。また、前述の掻き上げ板２４ａ，２４ｂ，２４ｃはそれぞれ、段付き部としての上記各流路形成ブロック壁面２３ａＡ，２３ｂＡ，２３ｃＡで捕捉された混合廃棄物を回転ドラム１の回転とともにその回転方向に掻き上げて同伴させる掻き上げ手段として機能する。また、流路形成ブロック２３ｃの重量物排出口１８側（図１中左側）壁面２３ｃＢはテーパ形状となっており、ここまで到達した重量物が重量物排出口１８まで自重ですばやく円滑に転げ落ちるように図られている。
【００３１】
２７は、本体支持フレーム５の軽量物分離チャンバ９側（図１中右側）端部近傍に支持部材２８を介して固定された通路部材であり、投入ホッパ３を上部に接続するホッパ接続部２７ａと、このホッパ接続部２７ａより回転ドラム１側（図１中左側）に設けられ投入ホッパ３から投入されホッパ接続部２７を介し導入された混合廃棄物を導出する拡径形状の導出部２７ｂと、ホッパ接続部２７ａより軽量物分離チャンバ９側（図１中右側）に設けられた軽量物排出部２７ｃとを備えている。このような構造により、通路部材２７は、ホッパ接続部２７ａの下方位置が空気流方向におけるその前後部分（導出部２７ｂ及び軽量物排出部２７ｃ）に比べて縮径したいわゆるベンチュリ管状の形状となっている。この結果、空気流方向に絞りを設けたのと同等となってこの部分の静圧が低下し、ホッパ接続部２７ａを介した空気流の吹き出しを低減し、投入混合廃棄物Ｍの逆流を防止するようになっている。また、導出部２７ｂはドラム本体１７の廃棄物導入口１９を含む図１中右側端部１７ａ近傍を覆うように、かつ固定側であるその端部２７ｂＡが回転側であるドラム本体端部１７ａとの間にわずかな隙間を介在させるように、配置されている。
【００３２】
投入ホッパ３は、上記通路部材ホッパ接続部２７ａに対して公知の構造を介し傾斜可能に接続されており、これによって例えば本体回転ドラム１の傾斜角度にかかわらず略水平状態（軸線を略鉛直にした状態）を維持可能となっている。
【００３３】
ブロア４は、本体支持フレーム５の図１中左側端部近傍に支持部材２９を介して固定されており、ブロア駆動モータ３０（電動モータ、又は油圧モータ、あるいはエンジン直結でもよい。また可変速として風速を自在に調節できるようにしてもよい）によって駆動され混合廃棄物中の軽量物を重量物から選別し搬送するための空気流を生起する。３１はブロア４の出口側に接続された送風ダクト、３２は送風ダクト３１の送風方向下流側に配置された略円板状のダクトガードである。このダクトガード３２は、その径方向中心側領域は例えば格子状のフィルタ部となっており、送風ダクト３１からの空気流のうち粗大な異物をブロックし本体回転ドラム１側へ流入しないようにしている。そしてダクトガード３２は、全体として、ドラム本体１７の重量物排出口１８を含む図１中左側端部１７ｂ近傍を覆うように、かつ固定側であるその端部３２ａが回転側であるドラム本体端部１７ｂとの間にわずかな隙間を介在させるように、配置されている。また３３は送風ダクト３１に連続するように延設される送風フードであり、ブロア４で生起された空気流は、送風ダクト３１、送風フード３３を介し本体回転ドラム１内に供給される。このとき、送風フード３３は、大径部２６Ｄのうち重量物を排出する固定側の排出シュート３４側の領域には開口部３３Ａを臨ませて重量物を排出可能とする一方、排出シュート３４と反対側の領域を仕切ってそちらには空気流や重量物の流れが流れないようにする役割を果たしている。
【００３４】
軽量物分離チャンバ９は、前述の通路部材軽量物排出部２７ｃに接続される入口側空気通路（吸入口）を構成する導入部９ａと、上記フィルタ装置７を設置する出口側空気通路（吐出口、排気流路）を構成する空気流排出部９ｂと、下方に設けられる軽量物排出部９ｃとを備えている。また３５は下端部が前述のフィルタ側ベースフレーム８に、上端部が軽量物分離チャンバ９の下部に接続された公知のリンク機構であり、前述のようにピン１０を回動支点として本体支持フレーム５が回動することで軽量物排出部２７ｃの高さが変化するのに追従させて、軽量物分離チャンバ９の高さ方向位置を調整できるようになっている。また３６は、導入部９ａと通路部材２７の軽量物排出部２７ｃとの間に設けられた、例えば弾性材料からなるシール部材であり、前述のように本体支持フレーム５が回動することで軽量物排出部２７ｃと導入部９ａとの間のなす角度等微妙な位置関係が変化しても、これらの間を空気流の漏れなくシールし接続を確保できるようになっている。
【００３５】
フィルタ装置７は、軽量物分離チャンバ９の空気流排出部９ｂに設けられ、のちに詳述するように、導入部９ａから軽量物分離チャンバ９内に導入された軽量物を含む空気流から、軽量物を除去する機能を備えている。
【００３６】
図３は、本発明の風力選別装置の一実施の形態を構成するフィルタ装置７の側面構造を表す図１中部分拡大図にほぼ相当する図である。これら図３及び前述の図１において、３７は回転ドラムフィルタ、３８は回転ドラムフィルタ３７を矢印ア方向に回転駆動するフィルタ駆動モータ、３９は回転ドラムフィルタ３７の外周部に設けたスクレーパ、４０は回転ドラムフィルタ３７の内周側下部領域に設けた押し出し手段としての回転押し出し部材である。
【００３７】
図４は、本発明の風力選別装置の一実施の形態を構成するフィルタ装置７の詳細構造を表す縦断面図である。この図４及び前述の図３において、４１は回転ドラムフィルタ３７の回転中心となる固定軸、４２はこの固定軸４１の両端部（図４及び図３では一方端のみを図示）をそれぞれ固定支持する切り欠き円形状のブラケット、４３はこのブラケット４２と空気流排出部９ｂ壁面とを接続する接続部材（図３及び図１では図示省略）である。回転ドラムフィルタ３７は、その両側の端部３７ａ（図４及び図３では一方端のみを図示）が図示しない公知の軸受機構を介し上記固定軸４１に回動自在に支持されており、図４及び図３に示す一方側の端部３７ａに設けたプーリ３７ｂに、フィルタ駆動モータ３８のモータ軸に設けたプーリ３８ａからの駆動力がベルト４４を介して伝達されることによって回転駆動される。
【００３８】
図５は、本発明の風力選別装置の一実施の形態を構成するフィルタ装置７の回転ドラムフィルタ３７及び回転押し出し部材４０の詳細構造を表す斜視図である。この図５及び前述の図３において、回転ドラムフィルタ３７は、空気流通用の多数の貫通孔を備えたこの例では網状部材（金属円筒板に多数の孔を設けた多孔円筒等でも良い）から構成されており、空気流を外周側から内周側へ向かって通過させるときに、搬送されてきた軽量物を外周部で捕捉するようになっている。
【００３９】
回転押し出し部材４０は、外周側に多数の凹凸、突起、ブラシ等を設けたローラ部材（この例では、例えば回転軸を含む軸心部材まわりに剛毛を植設してなるたわしに類似の部材）であり、その回転軸の軸方向両端部を、上記の固定軸４１にアーム４６を介し支持された軸受４５によって回転自在に支持されている。この回転押し出し部材４０は、その下端部及びその近傍部分において前述の剛毛が回転ドラムフィルタ３７の内周に接するとともにさらに一部は前述の貫通孔を介して回転ドラムフィルタ３７の外周側にまで突出しつつ、回転ドラムフィルタ３７の外周側に捕捉された軽量物へ、内周側から外周側への押し出し力を与えるようになっている。
【００４０】
スクレーパ３９は、例えば軽量物分離チャンバ９の空気流排出部９ｂの下部壁面９ｂに固定されており、回転ドラムフィルタ３７の外周部に捕捉された後上記のように押し出し部材４０で押し出された軽量物を、押し出し部材４０と共働して回転ドラムフィルタ３７の外周部から引き剥がすようになっている。なお、回転ドラムフィルタ３７が上記のように網状部材の場合はスクレーパ３９は回転ドラムフィルタ３７の外周面に極めて小さな間隔を介して対向するように配置するが、回転ドラムフィルタ３７を金属円筒板に多数の孔を設けた多孔円筒等で構成した場合には、スクレーパ３９は回転ドラムフィルタ３７の外周面に当接するように配置してもよい。
【００４１】
なお、上記において、ピン１０、本体支持フレーム５、及びシリンダ１１が、特許請求の範囲各項記載の傾斜角度を変更可能なように筒状部材を支持する支持手段を構成する。
【００４２】
次に、以上のように構成した本実施の形態による風力選別機の動作及び作用を以下に説明する。
【００４３】
上記構成の風力選別機において、図１に示すようにシリンダ１１を伸長させて本体回転ドラム１の廃棄物導入口１９側が高くなるように本体支持フレーム５を傾斜させ保持した後、本体回転ドラム駆動モータ２を駆動すると、回転ドラム支持ローラ１６ａ，１６ｂを介し本体回転ドラム１はその軸心線まわりに回転する。そしてブロア駆動モータ３０を駆動すると、ブロア４から空気流が生起されて送風ダクト３１、送風フード３３を介し本体回転ドラム１内に供給され、さらに通路部材２７の導出部２７ｂで絞られ、軽量物排出部２７ｃから軽量物分離チャンバ９内に吹き出される。
【００４４】
この状態で、例えばコンクリート塊、木材片、ガラス片、がれき類等の重量物Ｈやビニールシート、紐状あるいはフィルム状の物等の軽量物Ｌ等が混在した混合廃棄物Ｍを投入ホッパ３に投入すると、通路部材ホッパ接続部２７ａより下方に導入されて上記の空気流が吹き付けられて衝突され、大部分の軽量物Ｌはこの空気流に載って（風力によって）選別され、空気流れの下流側（図１中右側）に搬送されて、軽量物分離チャンバ９内に導入される。一方、重量物Ｈは、空気流には載らず（重力によって風力に打ち勝ち）、上記のように本体支持フレーム５が傾斜していることから自重によって選別されなかった残りのわずかな軽量物Ｌとともに（その意味では正確には重量物Ｈと軽量物Ｌとの混合廃棄物である）通路部材導出部２７ｂから廃棄物導入口１９を介し本体回転ドラム１内に導入され、さらにドラム本体１７内周面に沿って（本体回転ドラム１の長手方向他方側、図１中左側へ向かって）本体回転ドラム１の長手方向にころがるようにして流れていく。このとき、重量物Ｈの流れ方向（＝空気流方向とは逆になる）最上流側の流路形成ブロック２３ａの壁面２３ａＡによって、上記のように傾斜に沿って流れる重量物Ｈは一旦捕捉され滞留する。このとき、壁面２３ａＡの手前側（図１中右側）の大径部２６Ａには周方向複数箇所に掻き上げ板２４ａが設けられていることから、上記捕捉された重量物Ｈは、掻き上げ板２４ａ，２４ａの間に滞留する。この結果、回転ドラム本体１が回転していることから、捕捉された重量物Ｈは掻き上げ板２４ａによってその回転方向に掻き上げて同伴され、高さ方向に大きく持ち上げられた後に重力で再び落下して攪拌され解きほぐされ、この落下するときに流路形成ブロック２３ａを乗り越えつつ小径部２５Ａを通過し、次の大径部２６Ｂに流入する。以下同様に、流入した重量物Ｈは再び流路形成ブロック２３ｂの壁面２３ｂＡによって捕捉されて大径部２６Ｂに設けた掻き上げ板２４ｂ，２４ｂの間に滞留し、回転ドラム本体１の回転と共に掻き上げ板２４ａによって持ち上げられた後に落下して解きほぐされ、流路形成ブロック２３ｂを乗り越えつつ小径部２５Ｂを通過し、次の大径部２６Ｃに流入する。さらに重量物Ｈは再び流路形成ブロック壁面２３ｃＡによって捕捉されて掻き上げ板２４ｃによって持ち上げられた後に落下して解きほぐされ、流路形成ブロック２３ｃを乗り越え小径部２５Ｃを通過し、最終段の大径部２６Ｄに流入する。
【００４５】
このように、大径部２６に滞留→掻き上げ板２４で持ち上げて落下→流路形成ブロック２３乗り越えて小径部２５通過→次の大径部２６に流入、という挙動を繰り返させることにより、例えば、投入ホッパ３に投入された後本体回転ドラム１内に導入された石、がれき等の重量物Ｈに、ビニールシート、紐状あるいはフィルム状の軽量物Ｌが強固に絡み合っていたり最終処分場埋設中に湿気を帯びていたり等によって、軽量物Ｌが重量物Ｈに付着し塊を形成している場合であっても、その塊を確実に解きほぐし、軽量物Ｌを重量物Ｈから剥がし取り分離することができる。このときまた、小径部２５を通過し各流路形成ブロック２３を乗り越えるとき、ブロック２３のエッジによって軽量物Ｌを剥がしとる効果もある。さらに、小径部２５においては断面積の縮小（縮径）に伴って空気流の流速が増大するため、ここを通過するときにその速い空気流によって塊状となったものから軽量物Ｌを剥がし取り分離促進することができ、また大きな重量物Ｈが通過するときには、実質的な空気流通過断面積が減少してさらに空気流速が増大し、さらに分離促進することができる。なおこの空気流の流速増大は、軽量物Ｈが傾斜方向下側（重量物排出口側）に落ちていくのを確実に防止できる効果もある。
【００４６】
なお、投入ホッパ３に投入された混合廃棄物Ｍ内に、大径部２６Ａの空気流速では軽量物排出口（廃棄物導入口）１９まで届かず、かといって小径部（縮径部）２５Ａの風速では押し戻されて重量物排出口１８側へ向かって流路形成ブロック２３ａも乗り越えられないような小型、微細な重量物（例えば金属片等）が含まれる場合等は、大径部２６Ａから上記のスクリーン２１を介し中間物排出口２０より本体回転ドラム１外へ排出される。
【００４７】
上記のようにして一旦重量物Ｈから分離された軽量物Ｌは、ブロア４によって本体回転ドラム１内を吹き通されている空気流により、重量物Ｈの上記本体回転ドラム１長手方向傾斜方向に沿った（図１中左側への）流れとは逆に、傾斜を上る方向（図１中右側）へと搬送され、廃棄物導入口１９を介し本体回転ドラム１のこの例では上方側端部（言い換えればブロア４と反対側端部）から排出され、さらに通路部材２７の導出部２７ｂ、軽量物排出部２７ｃを経て軽量物分離チャンバ９内へと排出される。この結果、上記重量物Ｈへの軽量物Ｌの付着による選別性能の低下を防止し、高い精度で効率よく軽量物Ｌの選別を行うことができる。なお重量物Ｈ側でみると、大径部２６及び小径部２５の繰り返しの段差により重量物Ｈが本体回転ドラム１内をあまりに早く流れすぎるのを防止し、滞留時間を長くして選別機能を確保する作用もある。
【００４８】
以上のようにして軽量物Ｌが十分に分離された重量物Ｈは、大径部２６Ｄから重量物排出口１８、さらに排出シュート３４を介し、最終的に本体回転ドラム１のこの例では下方側端部（言い換えればブロア４側端部）から排出される。
【００４９】
一方、導入部９ａより軽量物分離チャンバ９内に吹き込んだ軽量物Ｌを含む空気流は、そのまま略水平方向に直進してフィルタ装置７の回転ドラムフィルタ３７に至り、その多数の貫通孔を外周側から内周側へと通過する。このとき、貫通孔を通過できない軽量物Ｌは回転ドラムフィルタ３７の外周部で捕捉されるが、回転ドラムフィルタ３７をフィルタ駆動モータ３８の駆動力によって図１中矢印ア方向に回転駆動する（例えば風力選別中は連続回転駆動する）ことにより、軽量物Ｌは回転ドラムフィルタ３７外周部に捕捉された状態で下方へ移動してくる。こうして移動してきた軽量物Ｌは、スクレーパ３９によって回転ドラムフィルタ３７の外周部から強制的に引き剥がされる。これにより、例えば軽量物Ｌ中にビニールシート、紐状あるいはフィルム状の物等が存在し、それらが回転ドラムフィルタ７に強く張り付いたり、引っかかったりした場合であっても、それらをスクレーパ３９で確実に除去し、除去された外周部は回転ドラムフィルタ３７の回転とともに上方側へ戻り、目詰まり等のない新鮮な捕捉面として再び機能することができる。したがって、回転ドラムフィルタ３７による軽量物Ｌの分離除去性能の低下を防止し、処理量を向上することができる。また回転ドラムフィルタ３７の目詰まりを防止し空気流の通路を確保できるので、目詰まりにより軽量物排出部９ｃ側から空気流が吹き抜けてしまうのを防止できる。
【００５０】
また特に、本実施の形態においては、上記に加え、回転ドラムフィルタ３７内周側に押し出し部材４０を設け、回転ドラムフィルタ３７外周部に捕捉された軽量物Ｌに対し内周側から外周側への押し出し力を与えてドラム面から押し離し浮き上がらせることで、スクレーパ３９がこの浮き上がった状態で軽量物Ｌの回転ドラムフィルタ３７からの引き剥がしを行うようにしている。このように、押し出し部材４０とスクレーパ３９とで協動作業を行って引き剥がしを行うようにすることで、さらに確実に回転ドラムフィルタ３７における軽量物Ｌの分離除去性能の低下を防止できる。
【００５１】
スクレーパ３９によって引き剥がされた軽量物Ｌは、自重で下方へ落下し、最終的に軽量物排出部９ｃから排出される。このとき、スクレーパ３８で引き剥がされる直前までは回転ドラムフィルタ３７に捕捉された軽量物Ｌが付着していることから、もともとスクレーパ３９付近は局所的に空気流の通過が阻害されている傾向にあるため、引き剥がされた軽量物Ｌは落下しやすい。また、引き剥がし時に軽量物Ｌは例えばシート状形状が丸められてダンゴ状となっているので、回転ドラムフィルタ３７へ向かってくる空気流には載りにくく下方への落下が阻害される可能性は少ない。よってこれによっても軽量物Ｌは落下しやすくなっている。
【００５２】
上記のようにして回転ドラムフィルタ３７の前面側（導入部９ａ側）部分の貫通孔を介し回転ドラムフィルタ３７の外周側から内周側へと通過するときに軽量物Ｌが分離された空気流は、さらに進んで背面側（導入部９ａと反対側）部分の貫通孔を介し回転ドラムフィルタ３７の内周側から外周側へと通過し、空気流排出部９ｂの出口部分から、外部放出される。
【００５３】
以上説明したように、上記本発明の風力選別機の一実施の形態によれば、重量物Ｈは流路形成ブロック廃棄物導入側壁面２３ａＡ，２３ｂＡ，２３ｃＡである程度滞留しながら掻き上げ板２４ａ〜ｃにより掻き上げられるため十分に攪拌され、また高さ方向に大きく持ち上げられた後に重力で再び落下して解きほぐされる。したがって、重量物Ｈに軽量物Ｌが付着し塊を形成しているような場合であっても、その塊を確実に解きほぐし、軽量物Ｌを重量物Ｈから分離することができる。この結果、選別性能の低下を防止し、高い精度で効率よく選別を行うことができる。
【００５４】
なお、上記本発明の一実施の形態は、風力選別機本体側の構成として、本体回転ドラム１内に３つの小径部２５Ａ，２５Ｂ，２５Ｃを設け、手前で重量物Ｈを滞留→掻き上げ→落下させて乗り越え、という挙動をそれぞれの小径部２５で合計３回行わせた場合を例にとって説明したが、本発明の主たる効果である軽量物Ｌが重量物Ｈに付着した塊を解きほぐすという効果を得る限りにおいては、これに限られず、本発明の趣旨及び技術思想を逸脱しない範囲内で種々の変形が可能である。以下、そのような変形例を順を追って説明する。なお、各図において、上記本発明の一実施の形態と同等の部分には同一の符号を付し、適宜説明を省略する。
【００５５】
（１）小径部を１段のみにした場合
図６は、上記本発明の風力選別機の一実施の形態を構成する本体回転ドラム１において、３つの小径部２５Ａ，２５Ｂ，２５Ｃに代えて１つの小径部２５のみを設けた変形例の全体構成を表す側断面図である。
【００５６】
図６に示すように、この変形例では、ドラム本体１７の長手方向一の側（図６中左側）の部分が他の部分より縮径した（言い換えれば径方向寸法を短くした）絞り部１７Ａとなっている。この結果、ドラム本体１７内部の空気流路のうちその絞り部１７Ａの内部が小径部２５となり、この小径部２５よりも重量物Ｈ流れ方向上流側（言い換えれば空気流方向下流側、図６中右側）が大径部２６Ａとなり、この小径部２５よりも重量物Ｈ流れ方向下流側（言い換えれば空気流方向上流側、図６中左側）が大径部２６Ｂとなっている。なおこの場合、絞り部１７Ａの大径部２６Ａ側（後述の掻き上げ板２４が設けられる側）の壁面が段付き部を構成し捕捉手段として機能することとなる。
【００５７】
また、大径部２６Ａのうち小径部２５側領域には、掻き上げ板２４がドラム本体１７内周面の円周方向複数箇所（例えば４箇所）に所定ピッチで配列固定されている。このとき、図６中に想像線で示すように、各掻き上げ板２４を大径部２６Ａのうちもっと広い領域（例えば投入ホッパ３より小径部２５側部分の全域）にわたって設けても良い。
【００５８】
なお、この例では、固定側部材である通路部材２７は空気流の流れ方向に直管形状であり、投入ホッパ３はその通路部材２７の側方壁面に突出して設けたホッパ接続部２７ａに傾動可能に接続され、混合廃棄物Ｍは通路部材２７内に横投入されるようになっている。また、軽量物分離チャンバ９は省略され、風力によって選別分離された軽量物Ｌは、本体回転ドラム１の端部にある軽量物排出口１９から通路部材導入部２７ｂを経て、軽量物排出部２７ｃからそのまま外部放出されるようになっている。
【００５９】
本変形例においても、投入ホッパ３から供給された重量物Ｈは、大径部２６Ａに滞留→掻き上げ板２４で持ち上げて落下→絞り部１７Ａ乗り越えて小径部２５通過→大径部２６Ｂへ流入という挙動となり、上記本発明の一実施の形態と同様、軽量物Ｌが重量物Ｈに付着し塊を形成している場合であっても、その塊を確実に解きほぐし、軽量物Ｌを重量物Ｈから剥がし取り分離することができる。
【００６０】
なお、通路部材２７は直管形状であるが、例えば投入ホッパ３あるいはホッパ接続部２７ａにいわゆるロータリーバルブを設けることにより、通路部材２７をベンチュリ管状の形状とした上記本発明の一実施の形態と同様、ホッパ接続部２７ａを介した空気流の吹き出しを低減し、投入混合廃棄物Ｍの逆流を防止することもできる。さらに同様に、重量物排出口１８や軽量物排出口１９にロータリバルブを取り付けても良い。
【００６１】
（２）螺旋状部材を設けた場合
図７は、上記本発明の風力選別機の一実施の形態を構成する本体回転ドラム１において、３つの小径部２５Ａ，２５Ｂ，２５Ｃに代えて１つの小径部２５のみを設けるとともに、内部に搬送用螺旋状部材を設けた変形例の全体構成を表す側断面図である。
【００６２】
図７に示すように、この変形例では、上記図６に示した構成に加え、搬送用の螺旋状部材６０がドラム本体１７内周側に固定配置されている。この螺旋状部材６０は、その径方向中心側に形成される開口領域Ｒの大きさが廃棄物流れ方向下流側（図７中左側）へ向かうほど小さくなって滑らかに小径部２５へ連続するようになっている。なお、この変形例においても、上記図６に示した掻き上げ板２４と同等のものが設けられているが、図７においては煩雑を避けるために図示省略している。
【００６３】
本変形例においても、上記（１）の変形例と同様の効果を得る。またこれに加え、本体回転ドラム１の回転とともに螺旋状部材６０が回転することにより、例えば角張った石等の重量物Ｈであっても、積極的に下流側（図７中左側）へと流すようにすることができる。
【００６４】
（３）ガイド部材を設けた場合
図８は、上記本発明の風力選別機の一実施の形態を構成する本体回転ドラム１において、３つの小径部２５Ａ，２５Ｂ，２５Ｃに代えて１つの小径部２５のみを設けるとともに、大径部２６にガイド部材を設けた変形例の全体構成を表す側断面図である。また図９は、図８中ＩＸ−ＩＸ断面による横断面図である。
【００６５】
これら図８及び図９に示すように、この変形例では、上記図６に示した構成に加え、大径部２６Ａの全域にわたって、本体回転ドラム１の長手方向に沿って、廃棄物流動をガイドするためのリブ状のガイド部材６１を、ドラム本体１７内周面に円周方向複数箇所（この例では４箇所）に所定ピッチで設けている。
【００６６】
本変形例においても、上記（１）の変形例と同様の効果を得るとともに、大径部２６Ａにおける重量物Ｈの流れをより円滑にできるという効果がある。
【００６７】
（４）小径部を着脱可能なブロックで構成する場合
図１０は、上記本発明の風力選別機の一実施の形態を構成する本体回転ドラム１において、３つの小径部２５Ａ，２５Ｂ，２５Ｃに代えて１つの小径部２５のみを設けるとともに、小径部２５を、ドラム本体１７の内周側に着脱可能に設ける流路形成ブロック２３で構成する変形例の全体構成を表す側断面図である。
【００６８】
この図１０に示すように、この変形例では、上記図８及び図９に示した構成において、ドラム本体１７の長手方向一の側部分自体が絞り部１７Ａとなることで内部に小径部２５を形成したのに代えて、ドラム本体１７自体は略直円筒形状とするとともに、その内部に上記本発明の一実施の形態の流路形成ブロック２３ａ，２３ｂ，２３ｃと同様の略円環形状の流路形成ブロック２３を固定することによって小径部２５を形成している。流路形成ブロック２３は、その外周面がドラム本体１７の内周面に密着するようにして、例えばボルト等により着脱交換可能に固定されている。
【００６９】
本変形例においても、上記（３）の変形例と同様の効果を得る。また、流路形成ブロック２３が着脱可能であることにより、例えば内径寸法（言い換えれば小径部２５の径方向寸法）が異なる複数種類の流路形成ブロック２３を用意しておいて、これらを必要に応じて（例えば処理する混合廃棄物あるいは含まれる重量物・軽量物の物性、態様、重量等に応じて）適宜交換して使い分け、より効率の良い選別を行うことが可能となる。
【００７０】
（５）小径部内径寸法を可変構造とする場合
図１１は、上記本発明の風力選別機の一実施の形態を構成する本体回転ドラム１において、３つの小径部２５Ａ，２５Ｂ，２５Ｃに代えて１つの小径部２５のみを設けるとともに、小径部２５を、その内径寸法を連続的に変化可能な可変絞り機構６２で構成する変形例の全体構成を表す側断面図である。また図１２はその可変絞り機構６２の詳細構成を表す要部抽出正面図である。
【００７１】
これら図１１及び図１２において、この変形例では、上記図８及び図９に示した構成の絞り部１７Ａに相当する部分に、多数のシャッター部材６２が、隣接するものどうし互いに部分的に重なり合うようにして構成された可変絞り機構６２を設け、これによって小径部２５の内径寸法を可変としている。図１３は、図１２に示した状態から内径が広がった状態の一例を表した図である。
【００７２】
本変形例においても、上記（３）の変形例と同様の効果を得る。また、可変絞り機構６２で小径部２５の内径寸法が可変であることにより、上記（４）の変形例と同様、必要に応じて（例えば処理する混合廃棄物あるいは含まれる重量物・軽量物の物性、態様、重量等に応じて）適宜内径寸法を自在に設定して使い分け、より効率の良い選別を行うことが可能となる。
【００７３】
（６）小径部に掻き上げ板を設けた場合
図１４は、上記本発明の風力選別機の一実施の形態を構成する本体回転ドラム１において、３つの小径部２５Ａ，２５Ｂ，２５Ｃに代えて１つの小径部２５のみを設けるとともに、小径部２５に掻き上げ板を設けた変形例の全体構成を表す側断面図である。
【００７４】
図１４に示すように、この変形例では、上記図１０に示した構成に加え、小径部２５に例えば略螺旋状の掻き上げ板（攪拌板）６３が設けられている。この変形例においても、上記（４）の変形例と同様の効果を得るとともに、小径部２５の通過時（流路形成ブロック２３の乗り越え時）にも掻き上げ板６３の作用で解きほぐしが促進され、さらに確実に軽量物Ｌを重量物Ｈから分離できるという効果を得る。
【００７５】
（７）小径部出口側にテーパを設けた場合
図１５は、上記本発明の風力選別機の一実施の形態を構成する本体回転ドラム１において、３つの小径部２５Ａ，２５Ｂ，２５Ｃに代えて１つの小径部２５のみを設けるとともに、小径部２５の出口側をテーパ形状とした変形例の全体構成を表す側断面図である。
【００７６】
図１５に示すように、この変形例では、上記図１０に示した構成において、小径部２５を構成する流路形成ブロック２３の内径側を、重量物Ｈの流れ方向（図１５中左方向）に向かって拡径するテーパ形状部２３Ａとしている。この変形例においても、上記（４）の変形例と同様の効果を得るとともに、上記本発明の一実施の形態と同様、テーパ形状部２３Ａによって、ここまで到達した重量物Ｈを、重量物排出口１８まで自重ですばやく円滑に転げ落とすことできる。
【００７７】
（８）出口側大径部にフードを設けた場合
図１６は、上記本発明の風力選別機の一実施の形態を構成する本体回転ドラム１において、３つの小径部２５Ａ，２５Ｂ，２５Ｃに代えて１つの小径部２５のみを設けるとともに、出口側大径部２６Ｂにフードを設けた変形例の全体構成を表す側断面図である。
【００７８】
図１６において、この変形例では、上記図１５に示した構成においてテーパ形状部２３Ａを若干短くするとともに、そのテーパ形状部２３Ａとストレート形状部との境界点近傍まで、上記本発明の一実施の形態と同様に送風ダクト３１に連続する送風フード３３を延設し、ブロア４１からの空気流が送風ダクト３１、送風フード３３を介し本体回転ドラム１内に供給されるようにしたものである。このとき、送風フード３３は、上記本発明の一実施の形態と同様、大径部２６Ｂのうち重量物を排出する固定側の排出シュート３４側の領域には開口部３３Ａを臨ませて重量物を排出可能とする一方、排出シュート３４と反対側の領域を仕切ってそちらには空気流や重量物の流れが流れないようにする役割を果たしている。その他の構成は、上記（４）の変形例とほぼ同様である。
【００７９】
（９）通路部材内に絞り形状を設けた場合
図１７は、上記本発明の風力選別機の一実施の形態を構成する本体回転ドラム１において、３つの小径部２５Ａ，２５Ｂ，２５Ｃに代えて１つの小径部２５のみを設けるとともに、通路部材２７内に絞り形状部分を設けた変形例の全体構成を表す側断面図である。また図１８は、投入ホッパ３の取り付け構造を表す図１７中Ａ方向から見た矢視図である。
【００８０】
これら図１７及び図１８において、この変形例では、上記図８に示した構成において、上記本発明の一実施の形態と同様に、通路部材２７は、ホッパ接続部２７ａの下方位置が空気流方向におけるその前後部分（導出部２７ｂ及び軽量物排出部２７ｃ）に比べて縮径したいわゆるベンチュリ管状の形状となっている。
【００８１】
本変形例においても、上記（３）の変形例と同様の効果を得る。またこれに加え、上記本発明の一実施の形態と同様、通路部材２７は空気流方向に絞りを設けたのと同等となってこの部分の静圧が低下するので、ホッパ接続部２７ａを介した空気流の吹き出しを低減し、投入混合廃棄物Ｍの逆流を防止することができる。
【００８２】
（１０）捕捉板を設ける場合
図１９は、上記本発明の風力選別機の一実施の形態を構成する本体回転ドラム１において、３つの小径部２５Ａ，２５Ｂ，２５Ｃ及び２つの大径部２６Ａ，２５Ｂからなる段付き構造で廃棄物を捕捉する構造に代え、捕捉板を設ける変形例の全体構成を表す側断面図である。
【００８３】
図１９に示すように、この変形例では、ドラム本体１７の長手方向に沿って、投入された重量廃棄物Ｈが流れていこうとするのを捕捉する捕捉板６４−１，６４−２，６４−３，６４−４，６４−５，６４−６がこの順序で軽量物排出口１９側から重量物排出口１８側へと配列され、それぞれ本体回転ドラム１の回転軸に直交する向きにドラム本体１７の内周に取り付けられ固定されている。
【００８４】
図２０は、上記捕捉板６４のうち上記配列中の１番目の捕捉板６４−１の詳細構造を表す図１９中ＸＸ−ＸＸ断面による断面図であり、図２１は、上記捕捉板６４のうち上記配列中の２番目の捕捉板６４−２の詳細構造を表す図１９中ＸＸＩ−ＸＸＩ断面による断面図である。
【００８５】
これら図２０及び図２１、さらに前述の図１９において、捕捉板６４−１，６４−２ともに、略円環形状を上下２ピースに分割したうちの１つである略半割れ円環形状であり、捕捉板６４−１はそのうち上部ピースに相当する形状であり、捕捉板６４−２はそのうち下部ピースに相当する形状となっている。このとき捕捉板６４−１，６４−２には、既に述べた掻き上げ板２４等と同様の機能をもつ掻き上げ板２４−１，２４−２が、この例ではドラム本体１７の円周方向３箇所に９０°ピッチで固定されている。なお、３，５番目の捕捉板６４−３，６４−５も上記捕捉板６４−１と同様の構造であって掻き上げ板２４−３，２４−５がそれぞれ固定されており、４，６番目の捕捉板６４−４，６４−６は上記捕捉板６４−２と同様の構造であって掻き上げ板２４−４，２４−６がそれぞれ固定されている。
【００８６】
上記構成の本変形例の風力選別機において、混合廃棄物Ｍを投入ホッパ３に投入すると、大部分の軽量物Ｌはブロア４からの空気流に載って（風力によって）選別され、通路部材２７の軽量物排出部２７ｃから外部へ排出される。重量物Ｈは、空気流には載らず（重力によって風力に打ち勝ち）自重によって通路部材導出部２７ｂから廃棄物導入口１９を介し本体回転ドラム１内に導入され、さらにドラム本体１７内周面に沿って本体回転ドラム１の長手方向にころがるようにして流れていく。
【００８７】
このとき例えば、回転駆動される本体回転ドラム１が図１９に示す状態にある場合には、重量物Ｈの流れ方向（＝空気流方向とは逆になる）最上流側から２番目の捕捉部材６４−２によって、上記のように傾斜に沿って流れる重量物Ｈは一旦捕捉され滞留し、この捕捉された重量物Ｈは捕捉板６４−２に設けた掻き上げ板２４−２，２４−２の間に滞留する。この結果、回転ドラム本体１の回転に伴い捕捉された重量物Ｈは掻き上げ板２４−２によってその回転方向に掻き上げて同伴され、高さ方向に大きく持ち上げられた後に重力で再び落下して攪拌され解きほぐされ、この落下するときに若干上記傾斜に沿って流れ、捕捉板６４−２と入れ替わるように下方へ来た３番目の捕捉板６４−３に捕捉される。
【００８８】
以降、同様にして、捕捉板６４−３に捕捉され滞留→掻き上げ板２４−３で持ち上げられて落下→捕捉板６４−４に捕捉され滞留→掻き上げ板２４−４で持ち上げられて落下→捕捉板６４−５に捕捉され滞留→掻き上げ板２４−５で持ち上げられて落下→捕捉板６４−６に捕捉され滞留→掻き上げ板２４−６で持ち上げられて落下という挙動を繰り返す（なお、上記の説明では回転駆動される本体回転ドラム１が図１９に示す状態にある場合を出発点として例にとり説明したが、これと１８０°回転位相が異なり捕捉板６４−１が下方にある状態で本体回転ドラム１内に混合廃棄物Ｍが流入された場合、上記において混合廃棄物Ｍはまず最初に、捕捉板６４−１に捕捉された滞留した後、掻き上げ板２４−１で持ち上げられ落下し、捕捉板６４−２に捕捉されるようになることはいうまでもない）。
【００８９】
以上のようにして、上記本発明の一実施の形態と同様、例えば、投入ホッパ３に投入された後本体回転ドラム１内に導入された石、がれき等の重量物Ｈに、ビニールシート、紐状あるいはフィルム状の軽量物Ｌが強固に絡み合っていたり最終処分場埋設中に湿気を帯びていたり等によって、軽量物Ｌが重量物Ｈに付着し塊を形成している場合であっても、その塊を確実に解きほぐし、軽量物Ｌを重量物Ｈから剥がし取り分離することができる。このときまた、捕捉板６４や掻き上げ板２４のエッジによって軽量物Ｌを剥がしとる効果もある。
【００９０】
上記のようにして一旦重量物Ｈから分離された軽量物Ｌは、ブロア４によって本体回転ドラム１内を吹き通されている空気流により、上記本発明の一実施の形態同様、傾斜を上る方向（図１９中右側）へと搬送され、廃棄物導入口１９、さらに通路部材２７の導出部２７ｂ、軽量物排出部２７ｃを経て外部排出される。軽量物Ｌが十分に分離された重量物Ｈは、重量物排出口１８からさらに排出シュート３４を介し、最終的に本体回転ドラム１から排出される。
【００９１】
本変形例においても、上記本発明の一実施の形態と同様、重量物Ｈへの軽量物Ｌの付着による選別性能の低下を防止し、高い精度で効率よく軽量物Ｌの選別を行うことができる。なお重量物Ｈ側でみると、捕捉板６４による捕捉→掻き上げ板２４による掻き上げの繰り返しにより重量物Ｈが本体回転ドラム１内をあまりに早く流れすぎるのを防止し、滞留時間を長くして選別機能を確保することができる。
【００９２】
なお、この変形例では、大径部や小径部を設けることなく捕捉板６４及び掻き上げ板２４によって解きほぐしを行ったが、同様に、大径部や小径部を設けなくても、例えば同一幅でクランク形状の流路とすることによってそのクランク部に段付き部を形成し、これに併せて掻き上げ板を設けることによって同様の挙動を実現して解きほぐしを行うようにしても良い。
【００９３】
（１１）発電機を設けた場合
図２２は、上記本発明の風力選別機の一実施の形態を構成する本体回転ドラム１において、３つの小径部２５Ａ，２５Ｂ，２５Ｃに代えて１つの小径部２５のみを設けるとともに、発電機及び重量物搬出用コンベアを併設した変形例の全体構成を表す側断面図である。また図２３は、図２２中ＸＸＩＩＩ−　ＸＸＩＩＩ断面による横断面図である。
【００９４】
これら図２２及び図２３に示すように、この変形例では、上記図１６に示した構成において、本体側ベースフレーム６上に、給電用の発電機（例えばディーゼル発電機）６６及び重量物Ｈ搬出用のコンベア６５を設けている。発電機６６で発電された電力は、例えば、本体回転ドラム駆動モータ２、ブロア駆動モータ３０、及びコンベア６５の図示しない駆動モータへと給電される。これにより、この風力選別機を、外部よりの給電の必要のない自立ユニット化した装置とすることができる。
【００９５】
（１３）走行可能とした場合
図２４は、上記本発明の風力選別機の一実施の形態を構成する本体回転ドラム１において、３つの小径部２５Ａ，２５Ｂ，２５Ｃに代えて１つの小径部２５のみを設けるとともに、車輪により走行可能とした変形例の全体構成を表す側断面図である。また図２５は、図２４中Ｂ方向から見た矢視図であり、図２６は、図２４中ＸＸＶ−　ＸＸＶ断面による横断面図である。
【００９６】
これら図２４〜図２６に示すように、この変形例では、上記図２２及び図２３に示した構成において、本体側ベースフレーム６の一方側（図２４中左側）及び他方側（図２４中右側）に、移動用の車輪６７ａ，６７ｂを設け、例えば図示しない牽引手段で牽引されることによって走行可能としたものである。これにより、トレーラ等に積み込むことなく走行させての移動が可能となり、機動性を持たせることができる。
【００９７】
（１４）自力走行可能とした場合
図２７は、上記本発明の風力選別機の一実施の形態を構成する本体回転ドラム１において、３つの小径部２５Ａ，２５Ｂ，２５Ｃに代えて１つの小径部２５のみを設けるとともに、クローラ式走行手段により自走可能とした変形例の全体構成を表す側断面図である。
【００９８】
この図２７に示すように、この変形例では、上記図２４〜図２６に示した車輪６７ａ，６７ｂに代え、本体側ベースフレーム６の下部に、駆動輪６８ｂ、従動輪６８ａ、これらに巻き回した無限軌道履帯６８ｃを備えたクローラ式走行手段（走行装置）６８を設け、自力走行可能としたものである。
【００９９】
これにより、上記（１３）の変形例のように牽引手段で牽引されることなく、自力走行によって移動が可能となるので、さらに機動性を向上させることができる。
【０１００】
なお、以上においては、本体回転ドラム１を傾斜させていたが、これに限られない。すなわち、本体回転ドラム１を傾斜させる代わりに、掻き上げ板２４を本体回転ドラム１の回転軸に対して傾斜して設け、さらに捕捉手段の内周側端部に重量物Ｈの受け部材を設けるようにしてもよい。この場合も、同様の効果を得る。
【０１０１】
また、以上においては、選別対象として混合廃棄物を例にとって説明したが、本発明の適用対象は必ずしもこれに限られず、例えば、砕石、木材の選別等にも適用可能であり、この場合も同様の効果を得る。
【０１０２】
【発明の効果】
本発明によれば、混合物は捕捉手段である程度滞留しながら掻き上げ手段により掻き上げられるため十分に攪拌される。したがって、軽量物が重量物に付着し塊を形成している場合であっても、その塊を確実に解きほぐし、軽量物を重量物から分離することができる。この結果、選別性能の低下を防止し、高い精度で効率よく選別を行うことができる。
【図面の簡単な説明】
【図１】本発明の風力選別機の一実施の形態の全体構造を表す側断面図である。
【図２】本発明の風力選別装置の一実施の形態を構成する本体回転ドラムの詳細構造を表す水平断面図である。
【図３】本発明の風力選別装置の一実施の形態を構成するフィルタ装置の側面構造を表す図１中部分拡大図にほぼ相当する図である。
【図４】本発明の風力選別装置の一実施の形態を構成するフィルタ装置の詳細構造を表す縦断面図である。
【図５】本発明の風力選別装置の一実施の形態を構成するフィルタ装置の回転ドラムフィルタ及び回転押し出し部材の詳細構造を表す斜視図である。
【図６】本発明の風力選別機の一実施の形態を構成する本体回転ドラムにおいて、３つの小径部に代えて１つの小径部のみを設けた変形例の全体構成を表す側断面図である。
【図７】本発明の風力選別機の一実施の形態を構成する本体回転ドラムにおいて、３つの小径部に代えて１つの小径部のみを設けるとともに、内部に搬送用螺旋状部材を設けた変形例の全体構成を表す側断面図である。
【図８】本発明の風力選別機の一実施の形態を構成する本体回転ドラムにおいて、３つの小径部に代えて１つの小径部のみを設けるとともに、大径部にガイド部材を設けた変形例の全体構成を表す側断面図である。
【図９】図８中ＩＸ−ＩＸ断面による横断面図である。
【図１０】本発明の風力選別機の一実施の形態を構成する本体回転ドラムにおいて、３つの小径部に代えて１つの小径部のみを設けるとともに、小径部を、ドラム本体の内周側に着脱可能に設ける流路形成ブロックで構成する変形例の全体構成を表す側断面図である。
【図１１】本発明の風力選別機の一実施の形態を構成する本体回転ドラムにおいて、３つの小径部に代えて１つの小径部のみを設けるとともに、小径部を、その内径寸法を連続的に変化可能な可変絞り機構で構成する変形例の全体構成を表す側断面図である。
【図１２】図１１に示した可変絞り機構の詳細構成を表す要部抽出正面図である。
【図１３】図１２に示した状態から可変絞り機構の内径が広がった状態の一例を表した図である。
【図１４】本発明の風力選別機の一実施の形態を構成する本体回転ドラムにおいて、３つの小径部に代えて１つの小径部のみを設けるとともに、小径部に掻き上げ板を設けた変形例の全体構成を表す側断面図である。
【図１５】本発明の風力選別機の一実施の形態を構成する本体回転ドラムにおいて、３つの小径部に代えて１つの小径部のみを設けるとともに、小径部の出口側をテーパ形状とした変形例の全体構成を表す側断面図である。
【図１６】本発明の風力選別機の一実施の形態を構成する本体回転ドラムにおいて、３つの小径部に代えて１つの小径部のみを設けるとともに、出口側大径部にフードを設けた変形例の全体構成を表す側断面図である。
【図１７】本発明の風力選別機の一実施の形態を構成する本体回転ドラムにおいて、３つの小径部に代えて１つの小径部のみを設けるとともに、通路部材内に絞り形状部分を設けた変形例の全体構成を表す側断面図である。
【図１８】投入ホッパの取り付け構造を表す図１７中Ａ方向から見た矢視図である。
【図１９】本発明の風力選別機の一実施の形態を構成する本体回転ドラムにおいて、３つの小径部及び２つの大径部からなる段付き構造で廃棄物を捕捉する構造に代え、捕捉板を設ける変形例の全体構成を表す側断面図である。
【図２０】捕捉板のうち上記配列中の１番目の捕捉板の詳細構造を表す図１９中ＸＸ−ＸＸ断面による断面図である。
【図２１】２番目の捕捉板の詳細構造を表す図１９中ＸＸＩ−ＸＸＩ断面による断面図である。
【図２２】本発明の風力選別機の一実施の形態を構成する本体回転ドラムにおいて、３つの小径部に代えて１つの小径部のみを設けるとともに、発電機及び重量物搬出用コンベアを併設した変形例の全体構成を表す側断面図である。
【図２３】図２２中ＸＸＩＩＩ−　ＸＸＩＩＩ断面による横断面図である。
【図２４】本発明の風力選別機の一実施の形態を構成する本体回転ドラムにおいて、３つの小径部に代えて１つの小径部のみを設けるとともに、車輪により走行可能とした変形例の全体構成を表す側断面図である。
【図２５】図２４中Ｂ方向から見た矢視図である。
【図２６】図２４中ＸＸＶ−　ＸＸＶ断面による横断面図である。
【図２７】本発明の風力選別機の一実施の形態を構成する本体回転ドラムにおいて、３つの小径部に代えて１つの小径部のみを設けるとともに、クローラ式走行手段により自走可能とした変形例の全体構成を表す側断面図である。
【符号の説明】
１　　　　　　　本体回転ドラム（筒状部材）
２　　　　　　　本体回転ドラム駆動モータ（駆動手段）
３　　　　　　　投入ホッパ（ホッパ、投入口）
４　　　　　　　ブロア（送風機）
５　　　　　　　本体支持フレーム（支持手段）
１０　　　　　　ピン（支持手段）
１１　　　　　　シリンダ（支持手段）
２３　　　　　　流路形成ブロック
２３ａ〜ｃ　　　流路形成ブロック
２３ａＡ　　　　廃棄物導入口側壁面（段付き部、捕捉手段）
２３ｂＡ　　　　廃棄物導入口側壁面（段付き部、捕捉手段）
２３ｃＡ　　　　廃棄物導入口側壁面（段付き部、捕捉手段）
２４　　　　　　掻き上げ板（掻き上げ手段）
２４−１〜６　　掻き上げ板（掻き上げ手段）
２４ａ〜ｃ　　　掻き上げ板（掻き上げ手段）
２５　　　　　　小径部
２５Ａ〜Ｃ　　　小径部
２６　　　　　　大径部
２６Ａ〜Ｄ　　　大径部
６４−１〜６　　捕捉板（捕捉手段）
Ｈ　　　　　　　重量物
Ｌ　　　　　　　軽量物
Ｍ　　　　　　　混合廃棄物
【図１】
2004033888.tif 000003
【図２】
2004033888.tif 000004
【図３】
2004033888.tif 000005
【図４】
2004033888.tif 000006
【図５】
2004033888.tif 000007
【図６】
2004033888.tif 000008
【図７】
2004033888.tif 000009
【図８】
2004033888.tif 000010
【図９】
2004033888.tif 000011
【図１０】
2004033888.tif 000012
【図１１】
2004033888.tif 000013
【図１２】
2004033888.tif 000014
【図１３】
2004033888.tif 000015
【図１４】
2004033888.tif 000016
【図１５】
2004033888.tif 000017
【図１６】
2004033888.tif 000018
【図１７】
2004033888.tif 000019
【図１８】
2004033888.tif 000020
【図１９】
2004033888.tif 000021
【図２０】
2004033888.tif 000022
【図２１】
2004033888.tif 000023
【図２２】
2004033888.tif 000024
【図２３】
2004033888.tif 000025
【図２４】
2004033888.tif 000026
【図２５】
2004033888.tif 000027
【図２６】
2004033888.tif 000028
【図２７】
2004033888.tif 000029